(57)【要約】【課題】適切な情報を提示することにより、プロセス解析を効果的に支援できるプロセス解析支援装置およびプロセス解析支援方法を提供する。【解決手段】履歴格納手段３１は、プロセスデータの履歴を格納する。表示手段２１は、履歴格納手段３１に格納されたプロセスデータの履歴を表示する。表示手段２１は、イベント検出手段２３によりイベントの発生が検出された場合に、対応付け手段２２によってイベントに対応付けられたアイテムのプロセスデータを、時間軸に沿ったグラフィックにより表示する。【選択図】図１
2008140110.tif 000002
【特許請求の範囲】
【請求項１】
プロセスデータの履歴を格納する履歴格納手段と、
前記履歴格納手段に格納された前記プロセスデータの履歴を表示する表示手段と、
を備えるプロセス解析支援装置において、
イベントとアイテムとを対応付ける対応付け手段と、
前記イベントの発生を検出するイベント検出手段と、
を備え、
前記表示手段は、前記イベント検出手段により前記イベントの発生が検出された場合に、前記対応付け手段によって前記イベントに対応付けられた前記アイテムの前記プロセスデータを、時間軸に沿ったグラフィックにより表示することを特徴とするプロセス解析支援装置。
【請求項２】
プロセスデータの履歴を格納する履歴格納手段と、
前記履歴格納手段に格納された前記プロセスデータの履歴を表示する表示手段と、
を備えるプロセス解析支援装置において、
前記表示手段は、複数のオブジェクトについて、同一アイテムの前記プロセスデータを、同一画面上でそれぞれ時間軸に沿ったグラフィックにより表示することを特徴とするプロセス解析支援装置。
【請求項３】
前記表示手段は、所定の操作に従って、前記オブジェクトごとに時間軸方向に前記グラフィックの表示位置を移動させることを特徴とする請求項２に記載のプロセス解析支援装置。
【請求項４】
プロセスデータの履歴を格納する履歴格納手段と、
前記履歴格納手段に格納された前記プロセスデータの履歴を表示する表示手段と、
を備えるプロセス解析支援装置において、
複数のアイテムを互いに対応付ける対応付け手段を備え、
前記表示手段は、前記対応付け手段により互いに対応付けられた前記複数のアイテムの前記プロセスデータを、時間軸に沿ったグラフィックにより表示することを特徴とするプロセス解析支援装置。
【請求項５】
プロセスデータの履歴を格納する履歴格納手段と、
前記履歴格納手段に格納された前記プロセスデータを表示する表示手段と、
を備えるプロセス解析支援装置において、
前記表示手段は、複数値をとる前記プロセスデータとしてのデジタルデータの遷移を時間軸に沿った帯状のグラフィックにより表示することを特徴とするプロセス解析支援装置。
【請求項６】
プロセスデータの履歴を格納するステップと、
前記履歴を格納するステップにより格納された前記プロセスデータの履歴を表示するステップと、
を備えるプロセス解析支援方法において、
イベントとアイテムとを対応付けるステップと、
前記イベントの発生を検出するステップと、
を備え、
前記表示するステップでは、前記検出するステップにより前記イベントの発生が検出された場合に、前記対応付けるステップによって前記イベントに対応付けられた前記アイテムの前記プロセスデータを、時間軸に沿ったグラフィックにより表示することを特徴とするプロセス解析支援方法。
【請求項７】
プロセスデータの履歴を格納するステップと、
前記履歴格納手段に格納された前記プロセスデータの履歴を表示するステップと、
を備えるプロセス解析支援方法において、
前記表示するステップでは、複数のオブジェクトについて、同一アイテムの前記プロセスデータを、同一画面上でそれぞれ時間軸に沿ったグラフィックにより表示することを特徴とするプロセス解析支援方法。
【請求項８】
プロセスデータの履歴を格納するステップと、
前記履歴を格納するステップにより格納された前記プロセスデータの履歴を表示するステップと、
を備えるプロセス解析支援方法において、
複数のアイテムを互いに対応付けるステップを備え、
前記表示するステップでは、前記対応付けるステップにより互いに対応付けられた前記複数のアイテムの前記プロセスデータを、時間軸に沿ったグラフィックにより表示することを特徴とするプロセス解析支援方法。
【請求項９】
プロセスデータの履歴を格納するステップと、
前記履歴を格納するステップにより格納された前記プロセスデータを表示するステップと、
を備えるプロセス解析支援方法において、
前記表示するステップでは、複数値をとる前記プロセスデータとしてのデジタルデータの遷移を時間軸に沿った帯状のグラフィックにより表示することを特徴とするプロセス解析支援方法。
【発明の詳細な説明】
【技術分野】
【０００１】
本発明は、格納されたプロセスデータの履歴を表示することで、プロセス解析を支援するプロセス解析支援装置およびプロセス解析支援方法に関する。
【背景技術】
【０００２】
プラントを安全に操業する上で、異常を早期に発見しこれに対応することは非常に重要である。このため、プロセスや装置の異常に対する迅速かつ正確に対応することは、プラントの運転員にとって重要な任務となっている。
【０００３】
プロセス異常発生時には、運転員は以下のような流れに沿って作業をしている。
（１）アラーム検知
作業員は、プラント制御システムや安全計装システムからのアラーム通知を、プラント監視用端末を介して受け取る。
（２）アラーム解釈
運転員は、発生したプロセスアラームの内容を解釈し、アラーム発生元プロセスデータを特定する。
（３）情報収集
運転員は、アラーム発生元プロセスデータのトレンドを、プラント監視用端末により手動で呼び出し、アラーム発生前後のプロセスデータを確認する。また、運転員は、自らのプロセス知識に基づいて、アラーム発生元プロセスデータと関連するプロセスデータ（関連プロセスデータ）を導き出す。
（４）情報解析
運転員は、アラーム発生元プロセスデータおよび関連プロセスデータのうち、最初に通常とは異なる挙動を示していたプロセスデータ（アラーム原因プロセスデータ）を特定する。次に、運転員は手動で操作履歴を検索し、アラーム原因プロセスデータの変動を引き起こす可能性のある操作が行われていなかったかを確認する。これにより、運転員の誤操作による異常発生の有無が分かる。また、運転員は、手動でアラーム原因プロセスデータのヒストリカルデータを呼び出し、特定期間の偏差、移動平均を比較する。これにより、機器の突発故障や経年変化による故障の有無を判定する。さらに、運転員はソフトウェアの誤作動の有無などについても検討する。
（５）対処
運転員の誤操作が異常発生の原因であった場合には、運転員はプロセスデータを正常に戻すための操作を実施する。また、機器の突発故障や経年変化による故障が原因であった場合には、故障した機器の修理を行う。その他、必要な作業を行う。
（６）再発防止策の実施
関連プロセスデータがヒストリカルデータに登録されていなかった場合には、そのデータをヒストリカルデータに新規登録する。また、異常事象に陥ることを未然に防ぐための異常検知ロジックを作成する。さらに、異常検知ロジックの検証を実施する。
【０００４】
【特許文献１】特開２００６−５８９８３号公報
【発明の開示】
【発明が解決しようとする課題】
【０００５】
プロセス異常発生時における上記のような作業のうち、とくに情報収集や情報解析の実施において、運転員の作業負担の原因となる以下のような問題があった。
（１）情報収集の過程において、運転員は、切迫した状況下で自らの経験を元にアラーム原因プロセスデータを特定しなければならない。
（２）情報解析の過程において、運転員は、手動でアラーム原因プロセスデータの操作履歴やヒストリカルデータなどを検索し、異常の原因となった痕跡を発見しなければならない。さらに、その生のデータに基づいて自ら考察し、原因を特定しなければならない。
【０００６】
現状では、コンピュータはデータベースとして情報を蓄積するのみで、運転員は手動により必要な情報を見やすい形に加工し、解析を行っており、コンピュータによる積極的な支援ができていない。このため、プロセス異常状態の回復作業を、コンピュータを用いて支援し、プラントの運転員が迅速かつ正確な作業を行うことができる情報を提示できるプロセス解析支援装置の開発が望まれている。
【０００７】
本発明の目的は、適切な情報を提示することにより、プロセス解析を効果的に支援できるプロセス解析支援装置およびプロセス解析支援方法を提供することにある。
【課題を解決するための手段】
【０００８】
本発明のプロセス解析支援装置は、プロセスデータの履歴を格納する履歴格納手段と、前記履歴格納手段に格納された前記プロセスデータの履歴を表示する表示手段と、を備えるプロセス解析支援装置において、イベントとアイテムとを対応付ける対応付け手段と、前記イベントの発生を検出するイベント検出手段と、を備え、前記表示手段は、前記イベント検出手段により前記イベントの発生が検出された場合に、前記対応付け手段によって前記イベントに対応付けられた前記アイテムの前記プロセスデータを、時間軸に沿ったグラフィックにより表示することを特徴とする。
このプロセス解析支援装置によれば、イベントに対応付けられたアイテムのプロセスデータを、時間軸に沿ったグラフィックにより表示するので、イベントの解析に必要なアイテムのプロセスデータを参照でき、容易にプロセス解析を行うことができる。
【０００９】
本発明のプロセス解析支援装置は、プロセスデータの履歴を格納する履歴格納手段と、前記履歴格納手段に格納された前記プロセスデータの履歴を表示する表示手段と、を備えるプロセス解析支援装置において、前記表示手段は、複数のオブジェクトについて、同一アイテムの前記プロセスデータを、同一画面上でそれぞれ時間軸に沿ったグラフィックにより表示することを特徴とする。
このプロセス解析支援装置によれば、複数のオブジェクトについて、同一アイテムの前記プロセスデータを、同一画面上でそれぞれ時間軸に沿ったグラフィックにより表示するので、オブジェクト間での比較が視覚的にでき、容易にプロセス解析を行うことができる。
【００１０】
前記表示手段は、所定の操作に従って、前記オブジェクトごとに時間軸方向に前記グラフィックの表示位置を移動させてもよい。
【００１１】
本発明のプロセス解析支援装置は、プロセスデータの履歴を格納する履歴格納手段と、前記履歴格納手段に格納された前記プロセスデータの履歴を表示する表示手段と、を備えるプロセス解析支援装置において、複数のアイテムを互いに対応付ける対応付け手段を備え、前記表示手段は、前記対応付け手段により互いに対応付けられた前記複数のアイテムの前記プロセスデータを、時間軸に沿ったグラフィックにより表示することを特徴とする。
このプロセス解析支援装置によれば、互いに対応付けられた複数のアイテムのプロセスデータを、時間軸に沿ったグラフィックにより表示するので、解析に必要な複数アイテムのプロセスデータを同時に確認でき、容易にプロセス解析を行うことができる。
【００１２】
本発明のプロセス解析支援装置は、プロセスデータの履歴を格納する履歴格納手段と、前記履歴格納手段に格納された前記プロセスデータを表示する表示手段と、を備えるプロセス解析支援装置において、前記表示手段は、複数値をとる前記プロセスデータとしてのデジタルデータの遷移を時間軸に沿った帯状のグラフィックにより表示することを特徴とする。
このプロセス解析支援装置によれば、複数値をとるプロセスデータとしてのデジタルデータの遷移を時間軸に沿った帯状のグラフィックにより表示するので、デジタルデータの遷移を視覚的に確認でき、容易にプロセス解析を行うことができる。
【００１３】
本発明のプロセス解析支援方法は、プロセスデータの履歴を格納するステップと、前記履歴を格納するステップにより格納された前記プロセスデータの履歴を表示するステップと、を備えるプロセス解析支援方法において、イベントとアイテムとを対応付けるステップと、前記イベントの発生を検出するステップと、を備え、前記表示するステップでは、前記検出するステップにより前記イベントの発生が検出された場合に、前記対応付けるステップによって前記イベントに対応付けられた前記アイテムの前記プロセスデータを、時間軸に沿ったグラフィックにより表示することを特徴とする。
このプロセス解析支援方法によれば、イベントに対応付けられたアイテムのプロセスデータを、時間軸に沿ったグラフィックにより表示するので、イベントの解析に必要なアイテムのプロセスデータを参照でき、容易にプロセス解析を行うことができる。
【００１４】
本発明のプロセス解析支援方法は、プロセスデータの履歴を格納するステップと、前記履歴格納手段に格納された前記プロセスデータの履歴を表示するステップと、を備えるプロセス解析支援方法において、前記表示するステップでは、複数のオブジェクトについて、同一アイテムの前記プロセスデータを、同一画面上でそれぞれ時間軸に沿ったグラフィックにより表示することを特徴とする。
このプロセス解析支援方法によれば、複数のオブジェクトについて、同一アイテムの前記プロセスデータを、同一画面上でそれぞれ時間軸に沿ったグラフィックにより表示するので、オブジェクト間での比較が視覚的にでき、容易にプロセス解析を行うことができる。
【００１５】
本発明のプロセス解析支援方法は、プロセスデータの履歴を格納するステップと、前記履歴を格納するステップにより格納された前記プロセスデータの履歴を表示するステップと、を備えるプロセス解析支援方法において、複数のアイテムを互いに対応付けるステップを備え、前記表示するステップでは、前記対応付けるステップにより互いに対応付けられた前記複数のアイテムの前記プロセスデータを、時間軸に沿ったグラフィックにより表示することを特徴とする。
このプロセス解析支援方法によれば、互いに対応付けられた複数のアイテムのプロセスデータを、時間軸に沿ったグラフィックにより表示するので、解析に必要な複数アイテムのプロセスデータを同時に確認でき、容易にプロセス解析を行うことができる。
【００１６】
本発明のプロセス解析支援方法は、プロセスデータの履歴を格納するステップと、前記履歴を格納するステップにより格納された前記プロセスデータを表示するステップと、を備えるプロセス解析支援方法において、前記表示するステップでは、複数値をとる前記プロセスデータとしてのデジタルデータの遷移を時間軸に沿った帯状のグラフィックにより表示することを特徴とする。
このプロセス解析支援方法によれば、複数値をとるプロセスデータとしてのデジタルデータの遷移を時間軸に沿った帯状のグラフィックにより表示するので、デジタルデータの遷移を視覚的に確認でき、容易にプロセス解析を行うことができる。
【発明の効果】
【００１７】
本発明のプロセス解析支援装置によれば、イベントに対応付けられたアイテムのプロセスデータを、時間軸に沿ったグラフィックにより表示するので、イベントの解析に必要なアイテムのプロセスデータを参照でき、容易にプロセス解析を行うことができる。
【００１８】
本発明のプロセス解析支援装置によれば、複数のオブジェクトについて、同一アイテムの前記プロセスデータを、同一画面上でそれぞれ時間軸に沿ったグラフィックにより表示するので、オブジェクト間での比較が視覚的にでき、容易にプロセス解析を行うことができる。
【００１９】
本発明のプロセス解析支援装置によれば、互いに対応付けられた複数のアイテムのプロセスデータを、時間軸に沿ったグラフィックにより表示するので、解析に必要な複数アイテムのプロセスデータを同時に確認でき、容易にプロセス解析を行うことができる。
【００２０】
本発明のプロセス解析支援装置によれば、複数値をとるプロセスデータとしてのデジタルデータの遷移を時間軸に沿った帯状のグラフィックにより表示するので、デジタルデータの遷移を視覚的に確認でき、容易にプロセス解析を行うことができる。
【００２１】
本発明のプロセス解析支援方法によれば、イベントに対応付けられたアイテムのプロセスデータを、時間軸に沿ったグラフィックにより表示するので、イベントの解析に必要なアイテムのプロセスデータを参照でき、容易にプロセス解析を行うことができる。
【００２２】
本発明のプロセス解析支援方法によれば、複数のオブジェクトについて、同一アイテムの前記プロセスデータを、同一画面上でそれぞれ時間軸に沿ったグラフィックにより表示するので、オブジェクト間での比較が視覚的にでき、容易にプロセス解析を行うことができる。
【００２３】
本発明のプロセス解析支援方法によれば、互いに対応付けられた複数のアイテムのプロセスデータを、時間軸に沿ったグラフィックにより表示するので、解析に必要な複数アイテムのプロセスデータを同時に確認でき、容易にプロセス解析を行うことができる。
【００２４】
本発明のプロセス解析支援方法によれば、複数値をとるプロセスデータとしてのデジタルデータの遷移を時間軸に沿った帯状のグラフィックにより表示するので、デジタルデータの遷移を視覚的に確認でき、容易にプロセス解析を行うことができる。
【発明を実施するための最良の形態】
【００２５】
以下、図１〜図１２を参照して、本発明によるプロセス解析支援装置の一実施形態について説明する。
【００２６】
図１は、本実施形態のプロセス解析支援装置が設けられたフィールド制御システムの構成を示すブロック図である。
【００２７】
図１に示すように、フィールド制御システムは、プラントに分散配置されたフィールドコントローラ１，１，・・・と、フィールドコントローラ１，１，・・・を介してフィールド機器群を監視、操作するためのプラント監視用端末２と、フィールド機器から出力されるプロセス値やフィールド機器に与えられる操作値等のプロセスデータを収集し、蓄積するデータ格納部３とを備える。フィールドコントローラ１，１，・・・、プラント監視用端末２およびデータ格納部３は、通信回線４により互いに接続される。
【００２８】
また、データ格納部３には、プロセスデータを順次収集し、履歴データとして格納する履歴格納手段３１が構成されている。また、プラント監視用端末２には、履歴格納手段３１に格納されたプロセスデータの履歴を表示する表示手段２１と、イベントとアイテムとを対応付ける対応付け手段２２と、イベントの発生を検出するイベント検出手段２３と、が構成されている。
【００２９】
図２は、プラント監視用端末２に格納されるトラブルユニットおよびアナライザオブジェクトのデータ構成を示す図である。トラブルユニットおよびアナライザオブジェクトは、それぞれイベント検出手段２３および対応付け手段２２として機能する。
【００３０】
図２に示すように、トラブルユニット４１には、トラブル定義情報４２が格納されている。トラブル定義情報４２には、収集トリガ条件、収集対象、収集周期、収集期間などが規定されている。収集トリガ条件は、トラブル情報（プロセスデータ）を収集するきっかけとなる事象を規定しており、トラブル（イベント）発生の有無を判断する条件である。収集対象は収集すべきトラブル情報（プロセスデータ）を規定する。収集周期はトラブル情報（プロセスデータ）の収集周期を規定する。収集期間は収集すべきトラブル情報（プロセスデータ）の期間範囲を規定する。なお、トラブル（イベント）の解析に役立つよう、通常、収集期間はトラブル（イベント）発生前後を含む期間に設定されている。
【００３１】
また、トラブルユニット４１には、トラブルオブジェクト４３を単位としてトラブル情報（プロセスデータ）が格納される。トラブル情報（プロセスデータ）は、上記トラブル定義情報に従って各種データソースより収集したスナップショットデータ４４の集合である。上記収集トリガ条件の成立時には、トラブル情報が格納されたトラブルオブジェクト４３が新たに生成される。
【００３２】
また、アナライザオブジェクト４５には、トラブル（イベント）の種類ごとにトラブル（イベント）発生時の解析操作や表示手段２１による表示内容を示す保持情報が格納される。保持情報には、比較元となるオブジェクト、比較対象となるオブジェクト、表示するアイテムの順序を定義するアイテム列並び順、表示対象となるプロセスデータの収集期間を規定する有効収集データ期間などが含まれる。個々のアナライザオブジェクト４５は、トラブルユニット４１で定義される個々のトラブルに対応付けられている。
【００３３】
次に、本実施形態のプロセス解析支援装置の動作について説明する。
【００３４】
プラント操業中にトラブルが発生すると、トラブル定義情報４２の収集トリガ条件が成立する。プラント監視用端末２は、上記トラブルオブジェクト４３およびアナライザオブジェクト４５に従って、履歴格納手段３１から必要なプロセスデータを取得する。このプロセスデータは表示手段２１に与えられ、表示手段２１は所定の画面を表示する。
【００３５】
図３は、表示手段２１によってプラント監視用端末２のモニタに表示される画面を示す図である。図３に示すように、画面には、アナライザビュー５、トラブルブラウザ６、プロファイルビュー７および相関図８が表示されている。
【００３６】
図４は、アナライザビュー５を示す図である。アナライザビュー５には、解析対象となるトラブルに関連するデータのトレンドグラフ等が表示される。アナライザビュー５は、トラブルの解析を行う際のメイン画面として用いられる。
【００３７】
アナライザビュー５は、タグやアラーム等のアイテムごとにプロセスデータを縦方向に並べて示しており、横方向に時間軸が設けられる。左端には、各アイテムを示すアイテム列５８が表示される。アイテム列５８内のアイテムは、アナライザオブジェクト４５の上記アイテム列並び順に基づいて規定される。図４の例では、トラブルに関連するアイテムとして、タグ５８Ａ、タグ５８Ｂ、タグ５８Ｃ、タグ５８Ｄ、タグ５８Ｅ、タグ５８Ｆおよびシステムアラーム５８Ｇなどがアイテム列並び順により規定されている。
【００３８】
なお、アイテム列並び順はユーザの操作によって自由に設定できるため、プラントの状況に合わせて、表示されるアイテムおよびその並び順を柔軟に設定、変更できる。
【００３９】
また、アイテムの追加は、プラント監視用端末２のモニタに表示される画面を参照しながら、解析中に実行することができる（オンデマンドタグ追加機能）。アイテムの追加は、アナライザオブジェクト４５に反映される。
【００４０】
また、図４の例では、アイテムごとに、現在進行中のプロセス（オブジェクト）のプロセスデータと、過去のプロセス（オブジェクト）のプロセスデータとを上下に重ねてグラフィック表示している。現在進行中のプロセス（オブジェクト）のプロセスデータとして選択されるデータは、上記アナライザオブジェクト４５の比較元として規定されたものである。また、過去のプロセス（オブジェクト）のプロセスデータとして選択されるデータは、上記アナライザオブジェクト４５の比較対象として規定されたものである。
【００４１】
例えば、１つのタグ５８Ａについて、現在進行中のプロセスについてのプロセスデータのトレンドグラフ５１ｂと、同一プロセスについての過去のプロセスデータのトレンドグラフ５１ａとが上下に重ねて表示されている。現在進行中のプロセスは上記比較元に、過去のプロセスデータは上記比較対象に、それぞれ対応している。
【００４２】
また、タグ５８Ｂについて、現在進行中のプロセスについてのプロセスデータのトレンドグラフ５２ｂと、同一プロセスについての過去のプロセスデータのトレンドグラフ５２ａとが上下に重ねて表示されており、現在進行中のプロセスは上記比較元に、過去のプロセスは上記比較対象に、それぞれ対応している。
【００４３】
同様に、タグ５８Ｃについては、現在進行中のプロセスを示すトレンドグラフ５３ｂおよび過去のプロセスを示すトレンドグラフ５３ａが、タグ５８Ｄについては、現在進行中のプロセスを示すトレンドグラフ５４ｂおよび過去のプロセストレンドグラフ５４ａが、それぞれ上下に重ねて表示されており、現在進行中のプロセスは上記比較元に、過去のプロセスは上記比較対象に、それぞれ対応している。
【００４４】
トレンドグラフは、履歴データ（プロセスデータ）の数値を示す点を直線で結んだグラフィック表示であり、アナログ値の変化状況を表示する。
【００４５】
また、タグ５８Ｅは、手動操作／自動運転の選択を示す２値のデジタルデータをとるプロセス値であり、現在進行中のプロセスについての値の遷移が文字列帯グラフ５５ｂとして、過去のプロセスについての値の遷移が文字列帯グラフ５５ａとして、それぞれグラフィックにより表現されている。現在進行中のプロセスは上記比較元に、過去のプロセスは上記比較対象に、それぞれ対応していることは同様である。
【００４６】
図５（ａ）は文字列帯グラフの表示例を示す図である。文字列帯グラフは文字列データを視覚的に表示するものであり、図５（ａ）の文字列帯グラフ５５の例では、手動操作の期間を文字列「ＭＡＮ」が表示された帯で表し、自動運転の期間を線で表している。また、図５（ａ）に示すように、帯上辺部に事象の発生時刻を表示することもできる。文字列帯グラフは、ブロックモードのステータス表示やアラームが発生して復帰するまでの期間などを表現する場合に使用される。
【００４７】
次に、図４に示すタグ５８Ｆは、タグ５８Ｅと同様、２値のデジタルデータをとるプロセス値であり、現在進行中のプロセスについての値の遷移がデジタル帯グラフ５６ｂとして、過去のプロセスについての値の遷移がデジタル帯グラフ５６ａとして、それぞれグラフィックにより表現されている。現在進行中のプロセスは上記比較元に、過去のプロセスは上記比較対象に、それぞれ対応していることは同様である。
【００４８】
図５（ｂ）はデジタル帯グラフの表示例を示す図である。デジタル帯グラフはデジタルデータ（０／１）の値を視覚的に表示するものであり、図５（ｂ）のデジタル帯グラフ５６の例では、所定事象が成立している期間を帯で表示し、不成立の期間を線で表示している。文字列帯グラフは、スイッチのオン期間や、「バルブ開」の継続期間などを表現する場合に使用される。
【００４９】
図４に示すシステムアラーム５８Ｇは、システムアラームの状態を示すプロセスデータであり、マーカをプロット表示することで、システムアラームの発生時刻を示している。表示５７ｂは現在進行中のプロセスについてのシステムアラームの発生時刻を、表示５７ａは過去のプロセスについてのシステムアラームの発生時刻を、それぞれプロット表示している。現在進行中のプロセスは上記比較元に、過去のプロセスは上記比較対象に、それぞれ対応していることは同様である。
【００５０】
図５（ｃ）はプロット表示の例を示しており、表示５７におけるマーカＭのプロット位置が所定のイベント発生時刻を表す。このようなプロット表示は、アラーム履歴・操作履歴などのイベント履歴の表示に使用される。
【００５１】
なお、イベント履歴の一覧表示において特定のイベント履歴を指定すると、図５（ｃ）のマークＭ１に示すように、そのデータ（イベント発生）が強調表示される。
【００５２】
次に、アナライザビュー５では、状況に応じた時間フィルタリングが可能である。
【００５３】
図６は、時間フィルタリングを示す図である。図６（ａ）に示すように、所定の操作により特定の時間帯４７を指定し、フィルタリングを実行すると、図６（ｂ）に示すように、当該時間帯４７の表示が消去され、その時間帯４７の前後が連続した表示に切り替わる。このようなフィルタリングにより、例えば、手動操作の影響を解析したい場合に、自動運転の時間帯の表示を消去することで、着目する要因以外の外乱を表示上、除外することができる。
【００５４】
また、アナライザビュー５では、オブジェクトごとに表示位置を時間軸方向に移動させることができる。
【００５５】
図７は表示位置の移動を行う例を示す図である。図７（ａ）は移動前の表示状態を示している。この状態から、いずれかのオブジェクトの領域をクリックすることで、そのオブジェクトを移動対象として選択できる。例えば、図７（ｂ）の例では、上下に重ねて表示された２つのオブジェクトのうち、下段のオブジェクトが選択されている。その後、その領域をマウスでドラッグして矢印４７の方向に移動させることにより、すべてのアイテムについて下段のオブジェクトの表示を同方向に同一距離だけ一斉に移動させることができる。
【００５６】
図７（ｃ）は、移動後の表示状態を示す図である。このように、オブジェクトごとに表示位置を移動させることにより、比較したい部位の時間軸を容易に合わせることができる。このため効率的なプロセス解析が可能となる。
【００５７】
図８（ａ）は、トラブルブラウザ６Ａ（図３）を示す図である。図８に示すように、トラブルブラウザ６は、トラブルユニット４１およびトラブルオブジェクト４３（図２）を階層構造として表示する。図８（ｂ）に示すように、各オブジェクトの詳細情報６Ｂを表示させることもできる。
【００５８】
図９は、プロファイルビュー７（図３）を示す図である。プロファイルビュー７は、オブジェクトのプロセスデータに対する統計演算結果を表示する。演算範囲はアナライザビュー５上のライン７１（図４）を用いて設定することができる。演算範囲を設定後、演算ボタン７２（図９）を操作すると、プロファイルビュー７に統計演算結果が表示される。図７に示すように、演算値としては、最大値、最小値、平均値、回帰などがあり、その演算結果は、アナライザビュー５でもグラフィック表示される。
【００５９】
図１０は、演算結果のグラフィック表示例を示す図である。この例では、プロセス値のトレンドグラフ７４に重ねて、最大値を示すマーカ７５、最小値を示すマーカ７６、平均値を示す直線７７および回帰を示す直線矢印７８が表示されている。
【００６０】
図１１は、相関図８（図３）を例示する図である。相関図８には、２種のアイテムについてのプロセス値の相関が直線（傾き）で示される。図８の例では、比較元オブジェクトにおける相関および比較対象オブジェクトにおける相関が表示され、両者を比較できるようにしている。
【００６１】
上記実施形態では、２つのオブジェクトについて同一アイテムのプロセスデータを上下に並べてグラフィック表示しているが、図１２（ａ）に示すように、両者を同一座標上に重ね合わせて表示してもよい。この例では、トレンドグラフ９１およびトレンドグラフ９２が重ね合わされて表示されている。
【００６２】
また、図１２（ｂ）に示すように、両者の座標をオフセットした上で、重ね合わせて表示してもよい。この例では、トレンドグラフ９１の座標軸９１ａと、トレンドグラフ９２の座標軸９２ａとが互いにずらされた状態で表示されている。
【００６３】
以上説明したように、本発明のプロセス解析支援装置によれば、イベントに対応付けられたアイテムのプロセスデータを、時間軸に沿ったグラフィックにより表示するので、イベントの解析に必要なアイテムのプロセスデータを参照でき、容易にプロセス解析を行うことができる。
【００６４】
また、本発明のプロセス解析支援装置によれば、複数のオブジェクトについて、同一アイテムの前記プロセスデータを、同一画面上でそれぞれ時間軸に沿ったグラフィックにより表示するので、オブジェクト間での比較が視覚的にでき、容易にプロセス解析を行うことができる。
【００６５】
また、本発明のプロセス解析支援装置によれば、互いに対応付けられた複数のアイテムのプロセスデータを、時間軸に沿ったグラフィックにより表示するので、解析に必要な複数アイテムのプロセスデータを同時に確認でき、容易にプロセス解析を行うことができる。
【００６６】
また、本発明のプロセス解析支援装置によれば、複数値をとるプロセスデータとしてのデジタルデータの遷移を時間軸に沿った帯状のグラフィックにより表示するので、デジタルデータの遷移を視覚的に確認でき、容易にプロセス解析を行うことができる。
【００６７】
本発明の適用範囲は上記実施形態に限定されることはない。本発明は、プロセスデータの履歴を格納する履歴格納手段と、履歴格納手段に格納されたプロセスデータの履歴を表示する表示手段と、を備えるプロセス解析支援装置およびプロセス解析支援方法に対し、広く適用することができる。
【図面の簡単な説明】
【００６８】
【図１】一実施形態のプロセス解析支援装置が設けられたフィールド制御システムの構成を示すブロック図。
【図２】図２は、データ格納部３に格納されるトラブルユニットおよびアナライザオブジェクトのデータ構成を示す図
【図３】プラント監視用端末のモニタに表示される画面を示す図。
【図４】アナライザビューを示す図。
【図５】帯グラフの表示例を示す図であり、（ａ）は文字列帯グラフの表示例を示す図、（ｂ）はデジタル帯グラフの表示例を示す図。
【図６】時間フィルタリングを示す図であり、（ａ）はフィルタリング前の表示を示す図、（ｂ）はフィルタリング後の表示を示す図。
【図７】表示位置の移動を示す図であり、（ａ）は移動前の表示状態を示す図、（ｂ）は移動するオブジェクトを選択した状態を示す図、（ｃ）は、移動後の表示状態を示す図。
【図８】モニタの表示を示す図であり、（ａ）はトラブルブラウザを示す図、（ｂ）はオブジェクトの詳細情報の表示例を示す図。
【図９】プロファイルビューを示す図。
【図１０】演算結果のグラフィック表示例を示す図。
【図１１】相関図を例示する図。
【図１２】トレンドグラフの表示例を示す図であり、（ａ）は２つのトレンドグラフを重ね合わせて表示する例を示す図、（ｂ）は両者の座標をオフセットさせた例を示す図。
【符号の説明】
【００６９】
２１    表示手段
２２    対応付け手段
２３    イベント検出手段
３１    履歴格納手段
【図１】
2008140110.tif 000003
【図２】
2008140110.tif 000004
【図５】
2008140110.tif 000005
【図６】
2008140110.tif 000006
【図７】
2008140110.tif 000007
【図１０】
2008140110.tif 000008
【図１２】
2008140110.tif 000009
【図３】
2008140110.tif 000010
【図４】
2008140110.tif 000011
【図８】
2008140110.tif 000012
【図９】
2008140110.tif 000013
【図１１】
2008140110.tif 000014